(57)【要約】【課題】  出入口のドアーを二重にせずに比較的安価にしてシールドルーム全体の完全な二重シールド化を可能とした電磁波シールド扉およびシールド扉装置を提供すること。【解決手段】  電磁波シールド扉１を、絶縁材からなる扉本体１１と、この扉本体１１の一方の面と他方の面にそれぞれ貼り付けられた電磁波シールド面材１２，１３とを備えた構成とする。更に、扉本体１１の端面周囲に連続した段部１１Ａを設け、一方の面と他方の面の電磁波シールド面材１２，１３の周端部を段部１１Ａで相互に離間させて当該一方の面と他方の面とを電気的に非導通状態に設定した。  更に、この電磁波シールド扉１を保持する扉保持枠２も二重シールド化し、これらを連係する一方と他方のシールド機構２１，３１を装備して全体的に二重シールド構造のシールド扉装置とした。【選択図】  図１
2005282113.tif 000002
【特許請求の範囲】
【請求項１】
絶縁材からなる扉本体と、この扉本体の一方の面と他方の面にそれぞれ貼り付けられた電磁波シールド面材とを有する二重シールド構造の電磁波シールド扉において、
前記扉本体の端面周囲に連続した段部を設け、前記一方の面と他方の面の電磁波シールド面材の周端部を前記段部で相互に離間させた状態とし、これにより当該一方の面と他方の面とを電気的に非導通状態に設定したことを特徴とする電磁波シールド扉。
【請求項２】
前記扉本体を、その骨格部を構成する扉用枠体と、この扉用枠体と同一面内で且つ当該扉用枠体の把手取り付け領域に組み込まれた補強板とを備えた構造とし、
前記扉用枠体を、その各貼り合わせ面が前記扉本体の周囲の側面に平行にして且つ当該扉本体の両面に直交する状態に製材され組み込まれてなる合板部材で構成したことを特徴とした請求項１記載の電磁波シールド扉。
【請求項３】
前記扉本体の内部空間領域に、当該扉本体とほぼ同一厚さで且つ絶縁部材からなるハニカム構造体を組み込んだことを特徴とする請求項１又は２記載の電磁波シールド扉。
【請求項４】
周囲端面に連続した段部を備えた請求項１，２又は３記載の電磁波シールド扉と、この電磁波シールド扉によって開閉される出入口空間を形成すると共に当該電磁波シールド扉を開閉自在に保持する扉保持枠と、この扉保持枠と前記電磁波シールド扉との間の空隙部分に配設された電磁波シールド機構とを備え、
前記扉保持枠は、前記電磁波シールド扉の二重シールド構造に対応して内側と外側のシールド面材に分離された二重シールド構造を備え、
前記電磁波シールド機構が、前記扉保持枠の二重シールド構造と前記電磁波シールド扉の二重シールド構造とにそれぞれ対応して配設された一方と他方のシールド機構により構成されていることを特徴とした電磁波シールド扉装置。
【請求項５】
前記一方のシールド機構を、前記扉本体の周囲の端面に設けられた段部の内側端面のシールド面材から当該扉本体の面に直交する方向に突設された可動側突条部と、この可動側突条部に対応して配設され当該可動側突条部の先端部に係合自在に当接する断面円形状の連続体で且つシール機能を備えたシールドロープと、このシールドロープを内周側に設けられたＵ字状溝部分で保持する枠状のシールドロープ保持部材とによって構成し、このシールドロープ保持部材をその外周側で予め装備された扉保持枠の内側シールド面材と共に当該扉保持枠に保持する構造としたことを特徴とする請求項４記載の電磁波シールド扉装置。
【請求項６】
前記他方のシールド機構を、前記扉本体の周囲の端面に設けられた段部の外側端面部分に当該扉本体の周囲端面に沿って配設され断面円形状の連続体で且つシール機能を備えたシールドロープと、このシールドロープを前記扉本体の周囲の端面に設けられた段部の外側端面のシールド面材部分で保持するＵ字状溝部分を備えた枠状のシールドロープ保持部材と、前記シールドロープに向けて突設され且つ前記扉保持枠側から前記扉本体の端面を取り囲むように配設されてその先端が該シールドロープに係合自在に当接する固定側突条部とを備えた構成とし、この固定側突条部を前記扉保持枠側が備えている電磁波シール面材と一体的に形成したことを特徴とする請求項４又は５記載の電磁波シールド扉装置。
【請求項７】
前記扉保持枠の骨格部を構成する枠体を合板部材で構成すると共に、この合板部材として、当該合板の各貼り合わせ面が前記扉保持枠の外周面に平行で且つ当該扉保持枠の両面に直交するように製材され組み込まれたものであることを特徴とした請求項４，５又は６記載の電磁波シールド扉装置。
【発明の詳細な説明】
【技術分野】
【０００１】
本発明は、電磁波シールド扉および電磁波シールド扉装置に係り、特に内部にＣＴスキャン等の医療機器等を装備してなるシールドルーム等に好適な電磁波シールド扉および電磁波シールド扉装置に関する。
【背景技術】
【０００２】
一般に、シールドルーム出入口の開閉扉としては、シールド構造の電磁波シールド扉が使用されている。又、この電磁波シールド扉の周囲からの電磁波漏れを防止するため、当該電磁波シールド扉とこれを保持する扉保持枠との間には係合離脱自在のシールド機構が装備され、電磁波シールド扉と共にシールド扉装置を構成している。
【０００３】
図４にシールド扉装置を装備したシールドルームの例を示す。この図４において、符号１０１は電磁波シールド扉を示し、符号１０２は電磁波シールド扉１０１を含む電磁波シールド扉装置を示す。
この電磁波シールド扉装置１０２は、複数枚のシールドパネル１０３を連結してなるシールドルーム１００の出入口に装備されている。このシールドルーム１００は、天井及び床面もシールドパネルが敷設され、これによって周囲六面の全体が電磁波シールドされた構造となっている。符号１０３ａは電磁波シールドされた換気口を示す。天井部分にも同様の換気口が設けられている。
【０００４】
この電磁波シールド扉１０１および電磁波シールド扉装置１０２に関しては、上述したシールドルーム等にあっては、構造物として高シールド化が要求されている。このため、昨今にあっては、電磁波シールド用の扉構造やシールドルーム用の側壁等に関しては、二重シールド化への研究がすすめられている（例えば特許文献１〜２参照）。
【０００５】
【特許文献１】実公平６−３２７１４号（二重シールド開閉扉）
【特許文献２】特公平８−２１７８９号（扉を有する電波シールド構造）
【発明の開示】
【発明が解決しようとする課題】
【０００６】
しかしながら、上記従来例における二重シールド化された電磁波シールド扉１０１およびシールドルームの側壁部分を成すシールドパネル１０３は、その両面に装着された各シールド板相互間（内側シールド板と外側シールド板との間）が多くは特許文献２でみられるようにその端部で連結されている。このため、完全な二重シールド化でないことから、二重構造にしたもののそのシールド機能は必ずしも２倍に強化されたものととはなっていない。
【０００７】
一方、電磁波シールド扉１０１およびこれを含むをシールドルーム１００全体の完全な二重シールド化に際しては、強度的な問題もあって例えば電磁波シールド扉を二重に装備する（入り口のドアーを二重にする）等のものが採用されているものの、構造が複雑となり、高価なものとなっていた。
【０００８】
本発明では、かかる従来例の有する不都合を改善し、特に、出入口のドアーを二重にすることなく比較的安価にしてシールドルーム全体の完全な二重シールド化を可能とした電磁波シールド扉および電磁波シールド扉装置を提供することを、その目的とする。
【課題を解決するための手段】
【０００９】
本発明における電磁波シールド扉は、絶縁材からなる扉本体と、この扉本体の一方の面と他方の面にそれぞれ貼り付けられた電磁波シールド材とを有する二重シールド構造の電磁波シールド扉を対象としている。そして、前述した扉本体の端面周囲に連続した段部を設けると共に、前述した一方の面の電磁波シールド材と他方の面の電磁波シールド材の各周端部を、前述した段部で相互に離間させた状態とし、これにより当該一方の面と他方の面とを電気的に非導通状態に設定するようにした（請求項１）。
【００１０】
このため、本発明によると、一方の面と他方の面とをその周囲の段部で電気的に非導通状態に設定したので、一方の面の電磁波シールド材の電磁波シールド材と他方の面の電磁波シールド材とを扉本体に対して容易に組み込むことができ、又段部の分離作用によってこの各電磁波シールド材を扉本体に組み込むだけの作業で当該各電磁波シールド材を非導通状態に設定するこができ、単純作業なので量産が可能となり且つ生産性向上を図ることができ、かかる点において大幅な原価低減を図ることが可能となる。
【００１１】
又、本発明における電磁波シールド扉では、前述した扉本体を、その骨格部を構成する扉用枠体と、この扉用枠体と同一面内で且つ当該扉用枠体の把手取り付け領域に組み込まれた補強板とを備えた構造とした。
そして、更に、扉用枠体を合板部材で構成すると共に、この合板部材として、当該合板の各貼り合わせ面が前述した扉本体の周囲の側面に平行で且つ当該扉本体の両面に直交する状態に製材され組み込まれたものを使用するようにした（請求項２）。
【００１２】
このため、本発明における電磁波シールド扉では、扉本体の枠体を合板部材で構成したので扉本体ひいては電磁波シールド扉全体の軽量化を図り得るばかりでなく加工組み立てが容易となり、更に当該合板の各貼り合わせ面が前述した扉本体の両面に直交する状態に製材され組み込まれたものを使用するようにしたことから、扉本体の枠体全体の強度を大幅に強化することができ、これがため、加工工程中や搬送中或いはシールドルーム組み立て中に枠体全体を対象として生じ易い捩じれや湾曲等の外力に対しても有効に耐えることができ、かかる点において耐久性増大を図り得るという利点がある。
【００１３】
本発明では、更に、前述した扉本体を、その枠体内の内部空間領域に当該扉本体とほぼ同一厚さで且つ絶縁部材からなるハニカム構造体を組み込んだ構造のものとした（請求項３）。
これにより、扉本体全体の軽量化および剛性が更に強化され、かかる点において耐久性増大が図られたものとなっている。
【００１４】
又、本発明における電磁波シールド扉装置では、まず、周囲端面に連続した段部を備えた請求項１，２又は３記載の電磁波シールド扉と、この電磁波シールド扉によって開閉される出入口空間を形成すると共に当該電磁波シールド扉を開閉自在に保持する扉保持枠と、この扉保持枠と前述した電磁波シールド扉との間の空隙部分に配設された電磁波シールド機構とを備えている。
【００１５】
この内、前述した扉保持枠は、前述した電磁波シールド扉の二重シールド構造に対応して内側と外側のシールド面材に分離された（電気的にも機械的にも相互に分離された状態の）二重シールド構造を備えている。又、前述した電磁波シールド機構は、前述した扉保持枠の二重シールド構造と電磁波シールド扉の二重シールド構造とにそれぞれ対応して配設された一方と他方のシールド機構とにより構成した（請求項４）。
【００１６】
このため、本発明における電磁波シールド扉装置によると、扉保持枠と電磁波シールド扉とを内側と外側の二箇所で相互に独立した状態で電磁波シールドするように構成したので、シールドルームの二重シールド構造に有効に且つ充分に対応することができ、かかる点において、これを使用すると、単一の電磁波シールド扉による完全二重シールド化されたシールドルームを比較的安価に得ることができる。
【００１７】
又、本発明における電磁波シールド扉装置では、前述した一方のシールド機構を、扉本体の周囲端面に設けられた段部の内側端面のシールド面材から当該扉本体の面に直交する方向に突設された可動側突条部と、この可動側突条部に対応して配設され当該可動側突条部の先端部に係合自在に当接する断面円形状の連続体で且つシール機能を備えたシールドロープと、このシールドロープを内周側に設けられた断面Ｕ字状の溝部分で保持する枠状のシールドロープ保持部材とによって構成する。そして、このシールドロープ保持部材をその外周側で予め装備された扉保持枠の内側シールド面材と共に当該扉保持枠に固定し保持する構造とした（請求項５）。
【００１８】
このため、この一方のシールド機構を装備したシールド扉装置にあっては、電磁波シールド扉の開閉に際しても極く容易に対応して係合離脱が可能となり、シールドロープ側を固定側である扉保持枠にて保持するようにしたので、シールド扉を開いた時に可動側突条部が出入り通路部分に存在しなくなることから、当該突条部に搬入物がぶつかるおそれが無くなり、かかる点においてシールドルームへの出入りを迅速に且つ円滑に行うことができるという利点がある。
【００１９】
更に、本発明における電磁波シールド扉装置では、他方のシールド機構を、扉本体の周囲の端面に設けられた段部の外側端面部分に当該扉本体の周囲端面に沿って配設され断面円形状の連続体で且つシール機能を備えたシールドロープと、このシールドロープを扉本体の周囲の端面に設けられた段部の外側端面のシールド面材部分で保持する断面Ｕ字状の溝部分を備えた枠状のシールドロープ保持部材と、前述したシールドロープに向けて突設され且つ扉保持枠側から扉本体の端面を取り囲むように配設されてその先端が当該シールドロープに係合自在に当接する構造の固定側突条部とを備えた構成とした。
更に、この固定側突条部を前述した扉保持枠側が備えている電磁波シール面材と一体的に形成した（請求項６）。
【００２０】
このため、この他方のシールド機構を装備した電磁波シールド扉装置にあっては、前述した一方のシールド機構を装備した場合と同様にシールド扉の開閉に際しても極く容易に対応して係合離脱が可能となり、固定側突条部を扉保持枠側に設けるようにしたので、当該突条部が前述した一方のシールド機構のシールドロープよりも出入り通路部分に出っ張ることが全く無くなり、かかる点においてシールドルームへの出入りを迅速に且つ円滑に行うことができる。
【００２１】
更に、本発明における電磁波シールド扉装置では、扉保持枠の骨格部を構成する枠体を、その各貼り合わせ面が前記扉保持枠の外周面に平行で且つ当該扉保持枠の両面に直交するように製材され且つ組み込まれた合板部材で構成した（請求項７）。
【００２２】
このため、本発明における電磁波シールド扉装置では、扉保持枠の内側及び外側への露出面に直交する方向（シールドルームの内側方向および外側方向）への変形が、大幅に抑制され、かかる点においてシールド扉装置としての耐久性が著しく増強された構造となっている（合板部材はその貼り合わせ面に沿った方向への変形が非常に少ない）。
このため、この扉保持枠をシールドルームの出入口に組み込んだ場合には、その周囲は他のシールドパネルで固持されることから、当該シールドパネルと協同して耐久性が更に強化されたシールドルームを得ることができる。
【発明の効果】
【００２３】
本発明にかかる電磁波シールド扉によると、一方の面と他方の面とをその周囲の段部で電気的に非導通状態に設定したので、一方の面の電磁波シールド材の電磁波シールド材と他方の面の電磁波シールド材とを扉本体に対して容易に組み込むことができ、又段部の分離作用によってこの各電磁波シールド材を扉本体に組み込むだけの作業で当該各電磁波シールド材を非導通状態に設定するこができ、単純作業なので量産が可能となり且つ生産性向上を図ることができ、かか点において大幅な原価低減を図ることが可能となる。
【００２４】
又、本発明にかかる電磁波シールド扉装置によると、扉保持枠と電磁波シールド扉とを内側と外側の二箇所で相互に独立した状態で電磁波シールドするように構成したので、シールドルームの二重シールド構造に有効に且つ充分に対応することができ、かかる点において、これを使用すると、単一の電磁波シールド扉による完全二重シールド化され且つ耐久性が強化されたシールドルームを比較的安価に得ることができる。
【発明を実施するための最良の形態】
【００２５】
以下、本発明の最良の実施形態を添付図面に従って説明する。
図１は、本実施形態における電磁波シールド扉を含む電磁波シールド扉装置の横断面の例を示す。この図１において、符号１は電磁波シールド扉を示し、符号２は扉保持枠を示す。
【００２６】
〔扉保持枠について〕
扉保持枠２は、電磁波シールド扉１によって開閉される出入口空間を形成し且つ当該電磁波シールド扉１を開閉自在に保持するためのもので、上下に長い長方形状の枠体２Ａと、この枠体２Ａの一方の面（シールドルームの内側から見た面）と他方の面（シールドルームの外側から見た面）にそれぞれ個別に装着された電磁波用の一方の面の枠体側シールド面材（内側シールド面材）３と他方の面の枠体側シールド面材（外側シールド面材）４とを備えた構成となっている。
【００２７】
この内側と外側の枠体側シールド面材３，４は、それぞれ断面がＵ字状の連続体からなり、素材としては電磁波遮蔽用の鉄板，アルミ材又はステンレス板等の薄板、或いは銅箔等によって形成され、枠体２Ａに組み込まれた場合には当該枠体２Ａの内側端面（出入口側）および外側端面（壁側）がその中央部で相互に離間された状態に設定されている。符号Ｓはこの離間領域を示す。
これにより、扉保持枠２は、後述する電磁波シールド扉１の二重シールド構造に対応して完全に二重シールド化され、これによってシールドルーム内外の何れから見ても電磁波シールドが有効に強化された構造となっている。
【００２８】
更に、この扉保持枠２の枠体２Ａは、本実施形態では合板部材を素材として形成されている。この枠体２Ａ用の合板部材として、本実施形態では当該合板部材の各貼り合わせ面が前述した扉保持枠２の両面（シールドルーム内からみて内側の面と外側の面）に直交する状態で且つ当該合板部材の各貼り合わせ面の筋が扉保持枠２の長手方向に沿って位置する状態（貼り合わせ面が扉保持枠の外周面に平行）に製材され組み込まれたものが使用されている。
【００２９】
ここで、合板部材はその貼り合わせ面に沿った方向への変形が非常に少ない。このため、扉保持枠２は、その内側及び外側への露出面に直交する方向（シールドルームの内側方向および外側方向）への変形が大幅に抑制され、かかる点において耐久性が著しく増強された構造となっている。このため、この扉保持枠２をシールドルームの出入口に組み込んだ場合には、その周囲は図４に示すシールドパネルで固持されることから、当該シールドパネルと協同して作用することから耐久性が強化されたシールドルームを得ることができる。
【００３０】
〔電磁波シールド扉について〕
前述した電磁波シールド扉１は、絶縁材からなる扉本体１１と、この扉本体１１の一方の面と他方の面にそれぞれ貼り付けられた一方と他方の電磁波シールド面材１２，１３とを備えている。ここで、電磁波シールド面材１２，１３としては、鉄板，アルミ材又はステンレス板等の薄板、或いは銅箔等が使用されている。
【００３１】
扉本体１１の周囲（後述する扉用枠体１５の周囲に同じ）の端面には、その周囲全体に連続した段部１１Ａが設けられ、これによって扉本体１１（扉用枠体１５）の周端面は内側端面１１ａと外側端面１１ｂとから成る二段構造となっている。そして、前述した電磁波シールド面材１２，１３は、一方の電磁波シールド面材１２が扉本体１１の一方の面に張り付けられてその外周囲の端部が内側端面１１ａを覆う状態に設定されている。又、他方の電磁波シールド面材１３が扉本体１１の他方の面に張り付けられてその外周囲の端部が外側端面１１ｂを覆う状態に設定されている。
【００３２】
このため、この各電磁波シールド面材１２，１３は、その端面領域の全体がこの扉本体１１の端面の段部１１Ａで内側端面１１ａと外側端面１１ｂとによって上段／下段に分離された状態に設定されている。即ち、各電磁波シールド面材１２，１３は、段部１１Ａで相互に自然に離間して電気的に非導通状態に設定され、これによって容易に且つ完全に二重シールド化された電磁波シールド扉を得ることが可能となった。
【００３３】
電磁波シールド扉１の扉本体１１は、図１乃至図３に示すように本実施例では骨格部を構成する扉用枠体１５と、この扉用枠体１５と同一面内で且つ当該扉用枠体１５を上部と下部とに二分するように組み込まれた補強板１６とを備えている（図２参照）。尚、この補強板１６については、後述する把手部分の取り付け箇所を補強する程度の補強板とし、必ずしも扉用枠体１５を上部と下部とに二分するような構造としなくてもよい。
【００３４】
前述した扉用枠体１５は合板部材で構成されている。この合板部材として、本実施形態では当該合板の各貼り合わせ面が前述した扉本体１１の両面に直交する状態で且つ当該合板の各貼り合わせ面の筋が扉用枠体１５の長手方向に沿って位置する状態に製材され組み込まれたものが使用されている。又、補強板１６も同様の構造を備えた合板部材が使用されている。
【００３５】
ここで、合板部材は、前述したようにその貼り合わせ面に沿った方向への変形が著しく少ない性質を備えている。このため、扉用枠体１５は、その内側及び外側に直交する方向（シールドルームの内側方向および外側方向）への変形が大幅に抑制され、これにより耐久性が著しく増強されたものとなっている。
【００３６】
更に、前述した扉本体１１の内部空間領域には、当該扉本体１１の厚さとほぼ同一の厚さに設定され且つ絶縁部材からなるハニカム構造体１７が組み込まれている。
このため、扉本体１１の枠体１５が合板部材を上述したように使用することと相伴って扉本体１１の強度の増強と軽量化とが同時に達成され得るようになっている。
【００３７】
〔電磁波シールド機構について〕
前述した扉保持枠２と電磁波シールド扉１との間の空隙部分には、電磁波シールド機構２０が装備されている。ここで、この電磁波シールド機構２０と前述した扉保持枠２および電磁波シールド扉１とによって、シールド扉装置が構成されている。符号８，９はシールドルームの周囲のシールド壁部分を構成するシールドパネル組立体を示す。
【００３８】
この電磁波シールド機構２０は、前述した扉保持枠の二重シールド構造と電磁波シールド扉１の二重シールド構造にそれぞれ対応して且つ連結可能に配設された一方と他方のシールド機構２１，３１により構成されている。この場合、一方と他方の各シールド機構２１，３１は、電磁波シールド扉１に対してはその周辺部分の段部１１Ａにおける内側端面１１ａと外側端面１１ｂに対応してそれぞれ配設されるようになっている。
【００３９】
このため、この一方と他方の各シールド機構２１，３１によって扉保持枠２と電磁波シールド扉１の各二重シールド構造にそれぞれ個別に連結して当該二重シールド構造化されたシールド扉装置を得ることができ、これがため、当該シールド扉装置をシールドルームに装備することによりシールドルーム全体の二重シールド構造を容易に且つ充分に得ることができる。即ち、本実施形態における二重シールド構造化されたシールド扉装置を装備することにより、単一の電磁波シールド扉による完全二重シールド化された組み立て容易なシールドルームを比較的安価に得ることが可能となる。
【００４０】
〔一方のシールド機構について〕
更に、前述した一方シールド機構２１は、扉本体１１の周囲（扉用枠体１５の周囲に同じ）の端面に設けられた段部１１Ａの内側端面１１ａから当該扉本体１１の面に直交する方向に突設された可動側突条部２２と、この可動側突条部２２に対応して配設され当該可動側突条部２２の先端部に係合自在に当接する断面円形状の連続体でシール機能を備えた弾性部材からなるシールドロープ２３と、このシールドロープ２３を内周側に設けられた断面Ｕ字状の溝部分を備えた枠状のシールドロープ保持部材２４とによって構成されている。このシールドロープ保持部材２４は、前述した扉保持枠２側から突設された状態で当該扉保持枠２に保持されている。
【００４１】
ここで、可動側突条部２２は、扉本体１１の一方の面（シールドルームの内側の面）を取り囲むようにして配設されており、その先端部側の厚さが幾分薄くなるように内側に傾斜面が設けられている。又、シールドロープ２３は、導電性を備え且つ断面が円形状のゴム製又はプラスチック製或いは金属網製の電磁波シールド部材からなり、電磁波シールド扉１を閉じた場合に前述した可動側突条部２２の先端部が係合して電磁波シールドを成し得る位置に配設されている。
【００４２】
更に、シールドロープ保持部材２４は、前述したように、シールドロープ２３を保持する断面Ｕ字状の溝部を各辺に備えた枠状に形成され、その枠状の外周端部が前述した扉保持枠２にしかも一方の枠体側シールド面材３部分を介して固着装備されている。ここで、シールドロープ保持部材２４は、実際には部分断面がＺ字状に形成された枠部材２４Ａとこの枠部材２４Ａからシールドロープ２３が離脱するのを阻止する係止枠部材２４Ｂとからなり、その何れも前述した扉保持枠２の出入口側の面にネジ止め等によって堅牢に固着されている。
【００４３】
このため、この一方のシールド機構２１を装備したシールド扉装置にあっては、電磁波シールド扉１の開閉に際しても、電磁波シールド扉１側の可動側突条部２２と扉保持枠２側のシールドロープ２３との間で極く容易に対応してその係合離脱が可能となり、シールドロープ２３を固定側である扉保持枠で保持するようにしたので、シールド扉を開いた時に可動側突条部が出入り通路部分に存在しないので、邪魔な突起は無いことからシールドルームへの出入りを迅速に且つ円滑に行うことができる。
【００４４】
〔他方のシールド機構について〕
又、前述した他方のシールド機構３１は、扉本体１１の周囲（扉用枠体１５の周囲に同じ）に設けられた段部１１Ａの外側端面部分１１ｂに当該扉本体１１の端面に沿って配設され且つ断面円形状の連続体でシール機能を備えた弾性部材から成るシールドロープ３２と、このシールドロープ３２を扉本体１１側で保持するシールドロープ保持部材３３と、前述したシールドロープ３２に向けて突設され且つ前述した扉保持枠２側から扉本体１１の端面に沿って配設されて当該シールドロープ３２に着脱自在に係合する固定側突条部３４とを備えている。そして、この固定側突条部３４は、前述した扉保持枠２側が備えている他方の枠体側シール面材４と一体的に形成されている。
【００４５】
ここで、固定側突条部３４は、扉本体１１の段部１１Ａを取り囲むようにして配設されており、その先端部側の厚さが幾分薄くなるように外側に斜面が設けられている。又、シールドロープ３２は、導電性を備え且つ断面が円形状のゴム製又はプラスチック製或いは金属網製の電磁波シールド部材からなり、電磁波シールド扉１を閉じた場合に前述した固定側突条部３４の先端部が係合して電磁波シールドを成し得る位置に配設されている。
【００４６】
更に、シールドロープ保持部材３３は、前述したシールドロープ３２を保持すると共に前述した固定側突条部３４に向かう断面Ｕ字状の溝部を各辺に備えた枠状に形成されている。そして、その枠状の内周面側が、前述した扉本体１１の段部１１Ａの外側端面部分１１ｂに前述した他方の電磁波シールド面材１３と共に一体的に且つ堅牢にネジ止めにて固着装備されている。
【００４７】
このため、この他方のシールド機構３１を装備したシールド扉装置にあっては、前述した一方のシールド機構２１を装備した場合と同様に電磁波シールド扉１の開閉に際しても極く容易に対応して係合離脱が可能となる。又、固定側突条部３４を扉保持枠２側に設けるようにしたので、当該突条部が前述した一方のシールド機構のシールドロープ（弾性部材）よりも出入り通路部分に出っ張ることが全く無くなり、かかる点においてシールドルームへの出入りを迅速に且つ円滑に行うことができる。
【００４８】
〔その他の構成〕
前述した電磁波シールド扉１の中央部の左側端部には、図１に示すように内側と外側とが連動された把手（開閉用ハンドル）４１，４２が装備されている。この把手４１，４２は金属製で形成され、両者を連結する絶縁性の連結部材（絶縁角芯部材）４３が前述した電磁波シールド扉１の扉本体１１内に埋設された状態で固着装備されている。
このため、連結部材（絶縁角芯部材）４３を介して連結され一体的に連動する把手４１，４２は、電気的には相互に絶縁された状態に装備されている。符号４１ａ，４２ａはそれぞれ把手の握り部を示す。
【００４９】
又、前述した電磁波シールド扉１の中央部の右側端部には、図１に示すようにヒンジ機構５０が装備されている。このヒンジ機構５０は、保持部本体５１が前述した扉保持枠２に装着され、この保持部本体５１に回転自在に保持される扉保持用ヒンジ片５２とを備えた構成となっている。
【００５０】
更に、前述した把手４１，４２の内、シールドルームの内側に装備された把手４１の先端部には、当接部材４１Ａが固定装備され、これに対応して前述した一方のシールド機構２１のシールドロープ保持部材２４部分にはストッパ部材２４Ｓが固定装備されている。  この場合、図１の状態は当接部材４１Ａがストッパ部材２４Ｓに係合している状態を示し当該電磁波シールド扉１は開かない状態となっている。
これに対し、把手４１，４２の握り部４１ａ，４２ａを例えば下方に回動させると、このストッパ部材２４Ｓから当接部材４１Ａが離間する。これにより、電磁波シールド扉１は、ヒンジ機構５０に保持されつつ矢印Ａの方向に往復開閉可能な状態に設定される。
【００５１】
〔全体の動作〕
最初に、上述した各構成要素の電磁波に対する二重シールド構造の連係等について説明する。
電磁波シールド扉１は、その周囲の端面部分で室内側の一方の電磁波シールド面材１２と室外側の他方のシールド面材１３とによって電気的に分離されている。又、内側に出入口を有する四角形状に形成された扉保持枠２は、その枠体２Ａの一方の面の枠体側シールド面材３と他方の面の枠体側シールド面材４とが、当該扉保持枠２の外周囲および内周囲の各面で電気的に分離されている。
【００５２】
そして、前述した電磁波シールド機構２０の内の一方シールド機構２１は、電磁波シールド扉１の一方の電磁波シールド面材１２と扉保持枠２の一方の面の枠体側シールド面材３とにそれぞれ連結されている。これによって、シールドルームにおけるシールド扉装置部分の一方の電磁波シールド構造（室内側）が形成されている。
又、前述した電磁波シールド機構２０の内の他方シールド機構３１は、電磁波シールド扉１の他方の電磁波シールド面材１３と扉保持枠２の他方の面の枠体側シールド面材４とにそれぞれ連結されている。これによって、シールドルームにおけるシールド扉装置部分の他方の電磁波シールド構造（室外側）が形成されている。
【００５３】
次に、電磁波シールド扉１の開閉に際しては、図１の矢印Ａに方向に開閉されるが、この際、二重シールド構造にあっては、一方と他方の各シールド機構２１，３１を構成するシールドロープ２３，３２と突条部２２，３４とがそれぞれ当接又は離間が自在の構造となっているため、各シールドロープ２３，３２とこれに対応する各突条部２２，３４の当接状態が（内側と外側とが）同時に円滑に開放される。このため、再び電磁波シールド扉１を閉じた時は各シールドロープ２３，３２と突条部２２，３４とが相互に当接状態が再現され、再び二重シールド構造が設定される。
【００５４】
〔その他の技術的内容〕
上記実施形態では、シールドロープ２３，３２を弾性を備えた弾性部材とした場合を例示したが、必ずしも弾性部材でなくてもよい。また、このシールドロープ２３，３２については、断面円形の場合を例示したが、断面四角形であっても或いは楕円形であってもよい。
【産業上の利用可能性】
【００５５】
本発明は、上述したようにＣＴスキャン等の医療機器等を内部に装備する場合のほか、各種アンテナの特性試験や、各種電子機器の電波発生状況のチェック等にも有効に使用される。
【図面の簡単な説明】
【００５６】
【図１】本発明の一実施の形態を示す断面図である。
【図２】図１に装備された電磁波シールド扉の扉本体部分を示す説明図である。
【図３】図２に示す扉本体部分の断面図で、図３（Ａ）は図２のＡ−Ａ線に沿った縦断面図、図３（Ｂ）は図２のＢ−Ｂ線に沿った横断面図、図３（Ｃ）は図２のＣ−Ｃ線に沿った横断面図である。
【図４】従来例におけるシールドルームの例を示す説明図である。
【符号の説明】
【００５７】
１  電磁波シールド扉
２  扉保持枠
３  一方の面の枠体側シールド面材（内側シールド面材）
４  他方の面の枠体側シールド面材（外側シールド面材）
１１Ａ  段部
１１  扉本体
１２  一方の電磁波シールド面材
１３  他方の電磁波シールド面材
１５  扉用枠体
１６  補強板
１７  ハニカム構造体
２０  電磁波シールド機構
２１  一方のシールド機構
２２  可動側突条部
２３，３２  シールドロープ
２４，３３  シールドロープ保持部材
３１  他方のシールド機構
３４  固定側突条部
【図１】
2005282113.tif 000003
【図２】
2005282113.tif 000004
【図３】
2005282113.tif 000005
【図４】
2005282113.tif 000006